(57)【要約】      （修正有）【課題】複数の測定機能を備えるとともに、レーザー銃弾とレーザー照準の機能も兼ね備えた、複合式着弾点閃光器を提供する。【解決手段】本複合式着弾点閃光器１は、弾丸の射出を導く銃管の前端に連結され、前記閃光器には、主に、速度測定装置１１、数量計算装置１２、メモリ装置１３、レーザー装置１４、電力供給装置、節電装置１９が設けられる。その内、レーザー装置は、レーザー照準器と、レーザー銃弾発射器とを備え、レーザー照準器は、レーザービームを発生させて、障害物に投射させ、レーザー銃弾発射器は、前記弾丸の射出状態を感知して、コードを備えたレーザー光を前記障害物にすぐに発射させることができる。【選択図】図１
0003173296.tif 000002
【実用新案登録請求の範囲】
【請求項１】
速度測定装置と、数量計算装置と、メモリ装置と、レーザー装置とによって構成する複合式着弾点閃光器であって、
前記閃光器は、弾丸の射出を導く銃管の前に連結され、前記速度測定装置は、前記閃光器内に設けられた回路板に電気的に接続されるとともに、前記弾丸の射出速度を計算し、
前記数量計算装置は、前記回路板に電気的に接続されるとともに、射出された前記弾丸の数量を計算し、
前記メモリ装置は、前記速度測定装置と前記数量計算装置に連結されるとともに、測定されたデータを保存し、
前記レーザー装置は、前記回路板に電気的に接続されるとともに、レーザーの照準を行うことができ、
前記レーザー装置は、レーザー照準器と、レーザー銃弾発射器とを備え、
前記レーザー照準器は、レーザービームを発生させて、障害物に投射させ、
前記レーザー銃弾発射器は、前記弾丸の射出状態を感知して、コードを備えたレーザー光を前記障害物にすぐに発射させることを特徴とする、複合式着弾点閃光器。
【請求項２】
速度測定装置と、数量計算装置と、メモリ装置と、レーザー装置と、電力供給装置と、節電装置とによって構成する複合式着弾点閃光器であって、
前記閃光器は、弾丸の射出を導く銃管の前に連結され、
前記速度測定装置は、前記閃光器内に設けられた回路板に電気的に接続されるとともに、前記弾丸射出速度を計算し、
前記数量計算装置は、前記回路板に電気的に接続されるとともに、射出された前記弾丸の数量を計算し、
前記メモリ装置は、前記速度測定装置と前記数量計算装置に連結されるとともに、測定されたデータを保存し、
前記レーザー装置は、前記回路板に電気的に接続されるとともに、レーザーの照準を行うことができ、
前記レーザー装置は、レーザー照準器と、レーザー銃弾発射器とを備え、
前記レーザー照準器は、レーザービームを発生させて、障害物に投射させ、
前記レーザー銃弾発射器は、前記弾丸の射出状態を感知して、コードを備えたレーザー光を前記障害物にすぐに発射させ、
前記電力供給装置は、前記閃光器を正常に作動させるために前記閃光器に電力を供給し、
前記節電装置は、前記電力供給装置に接続され、電力エネルギーを制御して、効率的に電力の出力を行わせることができることを特徴とする、複合式着弾点閃光器。
【請求項３】
前記複合式着弾点閃光器は、データを表示するための表示スクリーンを備えることを特徴とする、請求項１、または、請求項２に記載の複合式着弾点閃光器。
【請求項４】
前記複合式着弾点閃光器は、前記回路板に電気的に接続されるとともにデータの設定を行うことができる操作パネルを備えることを特徴とする、請求項１、または、請求項２に記載の複合式着弾点閃光器。
【請求項５】
前記閃光器には、前記銃管の前端に連結される固定部材が設けられることを特徴とする、請求項１、または、請求項２に記載の複合式着弾点閃光器。
【考案の詳細な説明】
【技術分野】
【０００１】
本考案は閃光器に関し、特に複数の測定機能を備えるとともに、レーザー銃弾とレーザー照準を兼ね備えた複合式着弾点閃光器に関する。
【背景技術】
【０００２】
サバイバルゲームは、現在、多くの人が行うレクリエーションとなっている。人々は、手に玩具の銃をもち、実戦の野戦をシミュレーションすることができる。そして、他の人とチームを組んでゲームを行うことでき、ゲームの中で双方の心を通じ合わせて一緒に戦うことにより、楽しみを倍増させることができる。
【０００３】
サバイバルゲームの実線を行う前に、プレイヤーは、射撃を正確に行う練習を行う必要があるが、射撃の正確さを高めるために、銃管の前に赤外線の照準器を連結させる。こうすることで正確さは向上するものの、実戦を行うときに、プレイヤーが敵対するプレイヤーに集中するあまり、弾倉内の銃弾の数量を忘れてしまい、重要なポイントの際に、銃弾が足りなくなってしまうことがある。また、対戦時に照準器を使用した場合、自分の位置と攻撃のターゲットを暴露してしまうことになり、逆に攻撃にあってしまう可能性がある。さらに、それだけではなく、この装置は、充電できるものの、節電効果はない。このことから分かるように、現在市場に出回っている弾丸射撃のセンサ補助装置（閃光器）は、レーザー照準の設備を備えているだけであり、速度測定、数量計算、レーザーシミュレーション銃弾等のその他の機能を備えておらず、ましてや複数の機能を兼ね備えた閃光器はない。
【考案の概要】
【考案が解決しようとする課題】
【０００４】
そこで、本考案は、複数の測定機能を備えるとともに、レーザー銃弾とレーザー照準の機能も兼ね備えた、複合式着弾点閃光器を提供することを目的とする。
【０００５】
また、本考案は、電力を節約することができるとともに環境保護に役立つ複合式着弾点閃光器を提供することを目的とする。
【０００６】
また、本考案は、射撃の調整と弾倉交換の準備を行うために、プレイヤーに銃弾の数量と速度を即座に把握させることが可能な、複合式着弾点閃光器を提供することを目的とする。
【０００７】
また、本考案は、プレイヤーの射撃の正確さをすぐに向上させることができ、ゲームの楽しみを増やすことができる、複合式着弾点閃光器を提供することを目的とする。
【０００８】
また、本考案は、複数の機能を一体化させることにより、全体の構造を簡略化させ、取り外しを手軽に行うことを可能にした、複合式着弾点閃光器を提供することを目的とする。
【課題を解決するための手段】
【０００９】
上述の目的を達成するために、本考案による複合式着弾点閃光器は、速度測定装置と、数量計算装置と、メモリ装置と、レーザー装置と、によって構成する。前記閃光器は、弾丸の射出を導く銃管の前に連結される。前記速度測定装置は、前記閃光器内に設けられた回路板に電気的に接続されるとともに、前記弾丸射出速度を計算し、前記数量計算装置は、前記回路板に電気的に接続されるとともに、射出された前記弾丸の数量を計算し、前記メモリ装置は、前記速度測定装置と前記数量計算装置に連結されるとともに、測定されたデータを保存する。前記レーザー装置は、前記回路板に電気的に接続されるとともに、レーザーの照準を行うことができ、前記レーザー装置は、レーザー照準器と、レーザー銃弾発射器とを備え、前記レーザー照準器は、レーザービームを発生させて、障害物に投射させ、前記レーザー銃弾発射器は、前記弾丸の射出状態を感知して、コードを備えたレーザー光を前記障害物にすぐに発射させる。
【００１０】
本考案には、さらに、電力供給装置と、節電装置とが設けられる。前記電力供給装置は、前記閃光器を正常に作動させるために前記閃光器に電力を供給し、前記節電装置は、前記電力供給装置に接続され、電力エネルギーを制御して、効率的に電力の出力を行わせることができる。
【図面の簡単な説明】
【００１１】
【図１】本考案の好ましい実施例を示した斜視図である。
【図２】本考案の好ましい実施例の組み立てを示した説明図である。
【図３】本考案で弾丸の速度の測定を行っている状態を示した説明図である。
【図４】本考案で射出した弾丸の数量の計算を行っている状態を示した説明図である。
【図５】本考案のレーザー照準器を使って、照準を行っている状態を示した説明図である。
【図６】本考案のレーザー銃弾発射器を使って、照準を行っている状態を示した説明図である。
【図７】本考案の節電装置で電力供給装置を制御している状態を示した説明図である。
【考案を実施するための形態】
【００１２】
図１と図２を参照する。図１は、本考案の好ましい実施例を示した斜視図であり、図２は、本考案の好ましい実施例の組み立てを示した説明図である。また図３を同時に参照する。図から分かるように、本考案による複合式着弾点閃光器は、閃光器１が、弾丸２の射出を導く銃管３の前端に連結される。また、閃光器１は、速度測定装置１１と、数量計算装置１２と、メモリ装置１３と、レーザー装置１４と、によって構成する。
【００１３】
速度測定装置１１は、閃光器１内に設けられた回路板１０に電気的に接続されるとともに、弾丸２の射出速度を計算する。
【００１４】
数量計算装置１２は、回路板１０に電気的に接続されるとともに、射出された弾丸２の数量を計算する。
【００１５】
メモリ装置１３は、速度測定装置１１と数量計算装置１２に連結されるとともに、測定したデータを保存する。
【００１６】
レーザー装置１４は、回路板１０に電気的に接続されるとともに、レーザーの照準を行うことができる。レーザー装置１４は、レーザー照準器１４０と、レーザー銃弾発射器１４２とを備える。レーザー照準器１４０は、レーザービームを発生させて、障害物上に投射させる。レーザー銃弾発射器１４２は、弾丸２の射出状態を感知し、コードを備えたレーザー光を前記障害物にすぐに発射させる。また、閃光器１は、データを表示するための表示スクリーン１５と、操作パネル１６とを備え、操作パネル１６は、回路板１０に電気的に接続されるとともに、データの設定を行うことができる。また、閃光器１には、銃管３の前端に連結される固定部材１７が設けられる。
【００１７】
上述の構造と組み合わせと設計による本考案を使用したときの作動状況を以下に説明する。図２から図５を同時に参照する。図２は、本考案の好ましい実施例の組み立てを示した説明図であり、図３は、本考案で弾丸の速度の測定を行っている状態を示した説明図であり、図４は、本考案で射出した弾丸の数量の計算を行っている状態を示した説明図であり、図５は、本考案のレーザー照準器を使って、照準を行っている状態を示した説明図である。図から分かるように、閃光器１は、固定部材１７を介して銃管３前端の後に連結される。ここで図１も併せて参照する。プレイヤーが射撃を行う時、閃光器１内に配置された速度測定装置１１と数量計算装置１２が、射出的弾丸２に対して測定と記録を同時に行い、それとともに、回路板１０によってデータの演算が行われる。この時、速度測定装置１１によって測定された弾丸２の速度は、回路板１０を通じてメモリ装置１３に記録され、数量計算装置１２によって計算された、射出された弾丸２の数量のデータも、回路板１０を通じてメモリ装置１３に保存される。また、その時計測された速度と射出数量は、すぐに表示スクリーン１５に表示されることにより、プレイヤーは、目の前の銃の弾丸２の状態を把握することができる。
【００１８】
上述した使用方法以外に、プレイヤーは、レーザー装置１４内のレーザー照準器１４０によって、ビーム４（赤外線）を、射撃したい位置に直接投射することができる。この時、射撃位置には、光の点が出現する。以上により、プレイヤーは、レーザー照準器１４０を介して、命中の精度を向上させることができる。
【００１９】
図６を参照する。図６は、本考案のレーザー銃弾発射器を使って、照準を行っている状態を示した説明図である。レーザー装置１４のレーザー銃弾発射器１４２を利用すると、プレイヤーが射撃をした時、弾丸２が閃光器１を通過する瞬間、レーザー銃弾発射器１４２は、すぐさまコードをもつビーム（赤外線）を一度発射する。この時、コードをもつビームは、射撃したい位置に一瞬で投射される。なお、この位置は、即ち、弾丸２が命中する位置であり、射撃が終わった後  このビームは、弾丸２が閃光器１を通過することにより消える。従って、簡単に言うと、銃倉内の弾丸２の数量は、レーザー銃弾発射器１４２から発射されるビーム（レーザー銃弾）の回数に等しい。このレーザー銃弾発射器１４２を使うことによってレーザー銃弾のフィーリングを作り出すことができるだけでなく、中長距離射撃の精度の訓練としても使える。また、射撃を行う前に、操作パネル１６を介してデータの設定を行うことができる。
【００２０】
図７を参照する。図７は、本考案の節電装置で電力供給装置を制御している状態を示した説明図である。また、閃光器１には、電力供給装置１８と、節電装置１９とが設けられる。電力供給装置１８は、閃光器１に電力を供給して、正常な作動を行わせることができる。節電装置１９は、電力供給装置１８に電気的に接続され、電力エネルギーを制御して、効率的に電力の出力を行わせることができる。銃を使用する時  閃光器１が必要とする電力は、電力供給装置１８によって提供され、電力供給装置１８によって提供された電力によって、閃光器１は弾丸２を感知することができ、関連情報を表示スクリーン１５に表示させることができる。銃を使わずに置かれた時間が、節電装置１９に予め設定された時間を越えた時は、閃光器１によって電力供給装置１８が停止され、電力の供給が止められる。それにより、使用者は、閃光器１の電源を切ることを忘れたことにより電力の浪費が起きてしまうことを防ぐことができ、電力の節約を行えるだけでなく、環境保護にも役立つ。
【符号の説明】
【００２１】
１      閃光器
１０    回路板
１１    速度測定装置
１２    数量計算装置
１３    メモリ装置
１４    レーザー装置
１４０  レーザー照準器
１４２  レーザー銃弾発射器
１５    表示スクリーン
１６    操作パネル
１７    固定部材
１８    電力供給装置
１９    節電装置
２      弾丸
３      銃管
４      ビーム
【図１】
0003173296.tif 000003
【図２】
0003173296.tif 000004
【図３】
0003173296.tif 000005
【図４】
0003173296.tif 000006
【図５】
0003173296.tif 000007
【図６】
0003173296.tif 000008
【図７】
0003173296.tif 000009